(57)【特許請求の範囲】
【請求項１】
矩形状のＬＣＤを載置するために箱形状に形成される本体と、
前記本体から延在して前記ＬＣＤを位置決めするとともに前記ＬＣＤの外周に対して広く形成することでクリアランスを設けてなる位置決め部と、
前記本体の長辺側の片側に前記ＬＣＤの端子を挿入する開口穴と、
前記本体の前記開口穴を設けた側面と対向する片側の側面に沿って少なくとも１つ以上延在してバネ構造を有して前記ＬＣＤを対向する前記開口穴の方向に付勢して位置決めする付勢部と、
前記付勢部の先端に形成されて前記ＬＣＤの浮きを防止するツメ部とを一体に備え、
前記位置決め部は、前記本体の上面四隅に略Ｌ字状のリブを形成して前記ＬＣＤを位置決めすることを特徴とするＬＣＤホルダ。
【発明の詳細な説明】
【０００１】
【発明の属する技術分野】
本発明は、ＬＣＤホルダ及びそれを使用した電子機器に係り、より詳細には電子機器のケース内部でＬＣＤを保持して表面に露出させるＬＣＤホルダ及びそれを使用した電子機器に関する。
【０００２】
【従来の技術】
近年、電子機器には、使用者が機器の操作状況を容易に把握できるように各操作段階に応じて種々の情報を与えるＬＣＤ表示部をケースの表面に設けている。
【０００３】
従来、このようなＬＣＤ表示部は、プリント基板に装着されるＬＣＤホルダによりＬＣＤを保持してケースの開口部から露出させた構造であった。
【０００４】
図４は、このような従来のＬＣＤホルダを採用した電話機を示す分解斜視図である。また図５は、図４に示したＬＣＤホルダ７０を示す斜視図である。また、図６は、図５に示したＣ−Ｃ線の断面を示す断面図である。
図４に示すように、従来のＬＣＤホルダを採用した電話機は、電話機の本体を形成するフロントケース３０と、このフロントケース３０の下部に嵌合するリアケース４０とを備えている。
【０００５】
ここで、リアケース４０には、内部部品を複数実装した基板、またはアンテナなどの部品が装着されている。このリアケース４０には、上部からフロントケース３０が嵌合されて電話機の本体を形成する。
フロントケース３０は、表面に矩形状に開口した表示開口部３２を設けてある。この表示開口部３２の表面には、例えば、アクリルなどの透明な材質により形成されたフロントグラス３４を覆うように装着している。このフロントケース３０には、下部から回路基板５０が装着される。
回路基板５０には、ＬＣＤ６０を載置したＬＣＤホルダ７０を装着するための係止穴５２が４箇所開口されている。また、ＬＣＤホルダ７０には、両側面に回路基板５０と係合して固定される係止部７８を備えている。従って、ＬＣＤ６０を載置したＬＣＤホルダ７０は、回路基板５０の上部に装着され、この回路基板５０をフロントケース３０に装着することで、表示開口部３２からＬＣＤ６０を露出させることができる。
【０００６】
また、ＬＣＤ６０を露出する表示開口部３２の表面には、フロントグラス３４が装着されており、ＬＣＤ６０を保護している。またフロントグラス３４は、ＬＣＤ６０が表示する文字または数字などのデータを拡大する役割をする。
ここで、ＬＣＤ６０は、矩形で薄板状に形成され、例えば、ガラスなどの材質により形成されている。このＬＣＤ６０は、一端側に表面から垂直に延在する複数の端子６２（図４参照）を設けている。この端子６２は、ＬＣＤホルダ７０が装着される回路基板５０に接続され、電気的に動作する。
【０００７】
また、ＬＣＤホルダ７０は、図５に示すように、箱形状に形成されており、上面の中央部が凹状に形成されている。このＬＣＤホルダ７０の上面には、四隅から上部に延在する略Ｌ字形状の位置決めリブ７６を設けてある。
またＬＣＤホルダ７０の短辺側の側面には、回路基板５０（図４参照）にＬＣＤホルダ７０を装着するために係止部７８が形成されている。この係止部７８の先端には、回路基板と係合するために形成した係止ツメ７８ａを設けてある。
また、ＬＣＤホルダ７０には、長辺側の側面にＬＣＤ６０に設けた端子６２を挿入させる開口穴（図示せず）が設けてある。これによりＬＣＤ６０は、ＬＣＤホルダ７０の上部に載置した際に、位置決めリブ７６により位置決めされるとともに、端子６２がＬＣＤホルダ７０の開口穴に挿入されることにより更に位置決めされる。
ここで、位置決めリブ７６は、ＬＣＤ６０を上部から容易に載置できるように、ＬＣＤ６０の外周に対して広く形成することでクリアランスを設けている。これによりＬＣＤ６０は、ＬＣＤホルダ７０の上面に載置した際に、図６に示すように位置決めリブ７６との間に隙間Ｄが形成される。
【０００８】
このような構成からなる従来のＬＣＤホルダを電話機に装着する場合は、図５に示したように、まず、ＬＣＤ６０をＬＣＤホルダ７０の上部に載置する。この際、ＬＣＤ６０は、外周の四隅が位置決めリブ７６の内側に挿入されるように装着する。またＬＣＤ６０は、一端側に設けた端子６２がＬＣＤホルダ７０の側面に設けた開口穴に挿入されるようにする。これにより、ＬＣＤ６０は、図６に示したように隙間Ｄを設けてＬＣＤホルダ７０の上部に載置される。
次に、ＬＣＤホルダ７０の上部にＬＣＤ６０が載置されると、図４に示したように、回路基板５０に開口した係止穴５２にＬＣＤホルダ７０の係止部７８を挿入してＬＣＤホルダ７０が固定される。この際、ＬＣＤホルダ７０の係止部７８は、先端に設けた係止ツメ７８ａが係止穴５２を介して回路基板５０の裏側に挿入されることで、係止ツメ７８ａが回路基板５０の裏面に係止してＬＣＤホルダ７０を固定する。ＬＣＤホルダ７０を回路基板５０に装着し、ＬＣＤ６０に設けた端子６２を回路基板５０に半田付けすることで、ＬＣＤホルダ７０及びＬＣＤ６０が回路基板５０に固定される。
【０００９】
ＬＣＤホルダ７０を回路基板５０に固定すると、この回路基板５０をフロントケース３０に装着する。これによりＬＣＤ６０を載置したＬＣＤホルダ７０は、フロントケース３０の表示開口部３２に挿入され、ＬＣＤ６０を露出させる。また、フロントケース３０の表示開口部３２には、表面にＬＣＤ６０を保護するとともに、ＬＣＤ６０の表示データを拡大するフロントグラス３４を装着する。
【００１０】
このようにフロントケース３０に回路基板５０が装着されると、リアケース４０とフロントケース３０とを嵌合することにより電話機が形成される。
このように、従来のＬＣＤホルダは、図６に示した隙間Ｄを備えた位置決めリブ７６を設けることにより、ＬＣＤ６０を容易に載置して固定できるように設けていた。
【００１１】
【発明が解決しようとする課題】
しかしながら従来のＬＣＤホルダでは、ＬＣＤ６０と位置決めリブ７６との間に図６に示した隙間Ｄを備えており、完全な位置決め構造を有していないため、ＬＣＤ６０をＬＣＤホルダ７０に取り付ける際にＬＣＤ６０が傾いてしまうとともに、ＬＣＤ６０自身がＬＣＤホルダ７０より浮き上がり易く生産工程で表示部の不良が増加して生産効率を低下させてしまう不具合があった。
また、従来のＬＣＤホルダでは、図６に示した隙間Ｄを設けていることにより図４に示したフロントケース３０の表示開口部３２に配置するＬＣＤ６０の位置ずれが生じるとともにフロントグラス３４からＬＣＤ６０の表示内部を見ると、数字や文字等が傾いて見えてしまうため、製品の品質を低下させてしまう不具合があった。
本発明はこのような課題を解決し、ＬＣＤをガタツキなく固定でき、電子機器の開口部でＬＣＤの位置ずれを防止するＬＣＤホルダ及びそれを使用した電子機器を提供することを目的とする。
【００１２】
【課題を解決するための手段】
本発明は上述の課題を解決するために、ＬＣＤホルダの実施の形態は、矩形状のＬＣＤを載置するために箱形状に形成される本体と、この本体から延在してＬＣＤを位置決めするとともにＬＣＤの外周に対して広く形成することでクリアランスを設けてなる位置決め部と、本体の長辺側の片側にＬＣＤの端子を挿入する開口穴と、本体の開口穴を設けた側面と対向する片側の側面に沿って少なくとも１つ以上延在してバネ構造を有してＬＣＤを対向する開口穴の方向に付勢して位置決めする付勢部と、この付勢部の先端に形成されてＬＣＤの浮きを防止するツメ部とを一体に備え、位置決め部は、本体の上面四隅に略Ｌ字状のリブを形成してＬＣＤを位置決めすることが好ましい。
【００１４】
【発明の実施の形態】
次に添付図面を参照して本発明によるＬＣＤホルダ及びそれを使用した電子機器の実施の形態を詳細に説明する。図１は、本発明によるＬＣＤホルダの実施の形態を示す斜視図である。また図２は、図１に示したＡ−Ａ線の断面を示す断面図である。
【００１５】
図１に示すように、本発明によるＬＣＤホルダ２０は、上部にＬＣＤ１０を載置して固定するように形成されている。ここで、ＬＣＤ１０は、矩形で薄板状に形成され、例えば、ガラスなどの材質により形成されている。このＬＣＤ１０は、一端側に表面から垂直に延在する複数の端子１２を設けている。この端子１２は、回路基板（図３参照）に接続されて電気的に動作する。
【００１６】
また、ＬＣＤホルダ２０は、箱形状に形成されており、上面の中央部が凹状に形成され、断面の形状が略Ｍ字状（図２参照）に形成されている。このＬＣＤホルダ２０の上面には、四隅上部に延在する略Ｌ字形状の位置決めリブ２６が設けられている。またＬＣＤホルダ２０の短辺側の両側面には、回路基板にＬＣＤホルダ２０を装着するための係止部２８を４箇所設けてある。この係止部２８の先端には、回路基板と係合するために形成したツメ形状の係止ツメ２８ａが設けてある。
【００１７】
また、ＬＣＤホルダ２０の長辺側の側面には、片側にＬＣＤ１０の端子１２を挿入する開口穴２４（図２参照）を設けてある。これによりＬＣＤ１０は、ＬＣＤホルダ２０の上部に載置した際に、位置決めリブ２６により位置決めされるとともに、端子１２を開口穴２４に挿入することにより更に位置決めされる。
【００１８】
一方、開口穴２４を設けた側面と対向する片側の側面には、側面に沿って２箇所延在する付勢部２２が設けてある。
【００１９】
ここで、位置決めリブ２６は、ＬＣＤ１０を上部から容易に載置できるようにＬＣＤ１０の外周に対して広く形成することでクリアランスを設けている。これによりＬＣＤホルダ２０は、上面にＬＣＤ１０を載置した際に、図２に示すようにＬＣＤ１０と位置決めリブ２６との間に隙間Ｂが形成される。しかし、ＬＣＤホルダ２０は、図２に示した矢印方向に付勢部２２が押し圧を加えることでＬＣＤ１０を固定し、ＬＣＤ１０のずれ調整をするように形成されている。
【００２０】
また、付勢部２２の先端部には、直角に屈曲して延在するツメ部２２ａが設けてある。これによりＬＣＤホルダ２０は、上面にＬＣＤ１０を載置した際に、ＬＣＤ１０が浮き上がって傾いてしまうことを防止することができる。
【００２１】
このように形成された本発明によるＬＣＤホルダ２０は、電子機器のケース内部に収納されて使用される。図３は、図１に示した本発明によるＬＣＤホルダを採用した電話機を示す分解斜視図である。
図３に示すように、本発明によるＬＣＤホルダを採用した電話機は、図４に示した従来の電話機と同様に、電話機の本体を形成するフロントケース３０と、このフロントケース３０の下部に嵌合するリアケース４０とを備えている。
【００２２】
ここで、リアケース４０には、内部に内部部品を複数実装した所定の基板、またはアンテナなどの部品が装着されている。
【００２３】
また、フロントケース３０は、表面に矩形状に開口した表示開口部３２を設けてある。この表示開口部３２の表面には、例えば、アクリルなどの透明な材質により形成されたフロントグラス３４を覆うように装着している。
また、フロントケース３０には、下部から回路基板５０が装着される。この回路基板５０には、図１に示したＬＣＤ１０を載置したＬＣＤホルダ２０を装着するための係止穴５２を４箇所設けている。また、ＬＣＤホルダ２０の両側面には、回路基板５０に係合して固定する係止部２８を備えている。
【００２４】
従って、ＬＣＤ１０を載置したＬＣＤホルダ２０は、回路基板５０の上部に装着され、この回路基板５０をフロントケース３０に装着することで、ＬＣＤ１０を表示開口部３２から露出することができる。このＬＣＤ１０を露出する表示開口部３２の表面には、フロントグラス３４が装着されており、ＬＣＤ１０を保護している。また、フロントグラス３４は、ＬＣＤ６０が表示する文字または数字などのデータを拡大する役割をする。
【００２５】
このように本発明によるＬＣＤホルダを電話機に装着する場合は、まず、ＬＣＤ１０をＬＣＤホルダ２０の上部に載置する。この際、ＬＣＤ１０は、ＬＣＤホルダ２０に設けた付勢部２２に一端を当接させて、一方の片側に設けた端子１２を図２に示した開口穴２４に挿入する。これによりＬＣＤ１０は、端子１２が開口穴２４に挿入すると同時に付勢部２２により図２に示した矢印方向に押し圧が加えられてＬＣＤホルダ２０の上部に固定する。
【００２６】
次に、ＬＣＤホルダ２０の上部にＬＣＤ１０が載置されると、図３に示したように、回路基板５０に開口した係止穴５２にＬＣＤホルダ２０の係止部２８を挿入して固定する。この際、ＬＣＤホルダ２０の係止部２８は、先端に設けた係止ツメ２８ａが係止穴５２を介して回路基板５０の裏側に挿入されることで係止ツメ２８ａが回路基板５０の裏側に係止してＬＣＤホルダ２０を固定させる。ＬＣＤホルダ２０を回路基板５０に装着すると、ＬＣＤ１０の端子１２を回路基板５０に半田付けすることで、ＬＣＤホルダ２０及びＬＣＤ１０が回路基板５０に固定される。
【００２７】
ＬＣＤ１０を載置したＬＣＤホルダ２０を回路基板５０に固定すると、この回路基板５０をフロントケース３０に装着する。これによりＬＣＤ１０を載置したＬＣＤホルダ２０は、フロントケース３０の表示開口部３２に挿入され、ＬＣＤ１０を露出させる。また、フロントケース３０の表示開口部３２には、表面にＬＣＤ１０を保護するとともに、ＬＣＤ１０の表示データを拡大するフロントグラス３４を装着している。このようにフロントケース３０に回路基板５０が装着されると、リアケース４０とフロントケース３０とを嵌合することにより電話機が形成される。
【００２８】
以上、本発明によってなされたＬＣＤホルダ及びそれを使用した電子機器の実施の形態を詳細に説明したが、本発明は前述の実施の形態に限定されるものではなく、その要旨を逸脱しない範囲で変更可能である。
例えば、ＬＣＤホルダ２０の片側側面に付勢部２２を２箇所設けた実施の形態を説明したが、これに限定されるものではなく、付勢部２２を更に複数設けてＬＣＤ１０の固定力、ずれ調整力を強化しても良い。
また、ＬＣＤホルダ２０の両側面に４箇所係止部２８を設けた実施の形態を説明したが、これに限定されるものではなく、例えば、係止部２８を複数設けて回路基板から容易に外れないようにするとともに、回路基板５０とＬＣＤホルダ２０との位置決め精度をより高くしても良い。
また、ＬＣＤホルダ２０を電話機に採用した実施の形態を説明したが、これに限定されるものではなく、例えば、インターホーンなどの電子機器にも適用可能である。
【００２９】
【発明の効果】
このように本発明によるＬＣＤホルダによれば、ＬＣＤホルダにＬＣＤの位置決めリブの他にバネ構造を備えてＬＣＤを片側に押し付ける付勢部を設けているため、ＬＣＤの傾きを低減させるとともに、ＬＣＤの浮きも防止することができる。
また、付勢部にツメ部を設けてＬＣＤを固定するため、ＬＣＤホルダにＬＣＤが完全に位置決めされ、生産工程で表示部の不良が低減して生産効率を向上することができる。
【図面の簡単な説明】
【図１】本発明によるＬＣＤホルダの実施の形態を示す斜視図。
【図２】図１に示したＡ−Ａ線の断面を示す断面図。
【図３】図１に示した本発明によるＬＣＤホルダを採用した電話機を示す分解斜視図。
【図４】従来のＬＣＤホルダを採用した電話機を示す分解斜視図。
【図５】図４に示したＬＣＤホルダを示す斜視図。
【図６】図５に示したＣ−Ｃ線の断面を示す断面図。
【符号の説明】
１０    ＬＣＤ
１２    端子
２０    ＬＣＤホルダ
２２    付勢部
２２ａ  ツメ部
２４    開口穴
２６    位置決めリブ
２８    係止部
２８ａ  係止ツメ
【図１】
0004059564.tif 000002
【図２】
0004059564.tif 000003
【図３】
0004059564.tif 000004
【図４】
0004059564.tif 000005
【図５】
0004059564.tif 000006
【図６】
0004059564.tif 000007